(57)【要約】【課題】児童の音階認識を助け、楽器としても使用できるハンドベルの提供。【解決手段】周知のハンドベルが一回揺らすごとに数階音響を発生する問題を解決し、ハンドルの一端に共鳴体を設け、該共鳴体中に接続部材を設け、該接続部材に弾性往復揺動するクラッパーを設け、該クラッパーの一端にウエイトを設け、もう一端に軸棒を設け、並びにねじりバネを嵌合し、軸棒とウエイト間を連接棒で連接し、該軸棒は接続シートに軸接し、該ウエイトと接続シートの間に相互に抵触する部分或いは部材を設け、クラッパーが僅かに一方向に揺動して共鳴体に衝突して音響を発生するようにし、これによりハンドベルが一回揺らされる毎に、一つの音響のみを発生し、児童にはっきりと音階を認識させ、且つ楽器として演奏もできるようにした。【選択図】図２
0003140164.tif 000002
【実用新案登録請求の範囲】
【請求項１】
ハンドベルにおいて、該ハンドベルはハンドルを具え、該ハンドルの一端に中空の共鳴体が組付けられ、該共鳴体中に接続部材が設けられ、該接続部材にクラッパーが軸接され、該接続部材と該クラッパーの間にストッパ構造が設けられて、それにより該クラッパーが一方向のみに共鳴体に衝突して反対方向には共鳴体に衝突しないものとされたことを特徴とする、ハンドベル。
【請求項２】
請求項１記載のハンドベルにおいて、該接続部材と該クラッパーの間にねじりバネが設けられたことにより、該クラッパーが弾性往復揺動可能とされたことを特徴とする、ハンドベル。
【請求項３】
請求項１又は２記載のハンドベルにおいて、該接続部材と該クラッパーの間のストッパ構造は、該接続部材と該クラッパーの軸接位置の隣側の対向側面にそれぞれ設けられたストッパ部とパッキングであることを特徴とする、ハンドベル。
【請求項４】
請求項１又は２記載のハンドベルにおいて、該ハンドルの該共鳴体に近い端部に平面である押さえ部が形成され、該押さえ部が人の親指を当てるのに供されるほか、ハンドベル使用時の方向性認識に供されることを特徴とする、ハンドベル。
【請求項５】
請求項１又は２記載のハンドベルにおいて、該共鳴体の上端に貫通孔が設けられ、該貫通孔に更に複数の凹んだノッチが設けられ、該接続部材の上端に円柱形の凸柱が設けられ、該凸柱の外周面の、該共鳴体の該ノッチに対応する位置に、突出する位置決めリブが設けられ、該凸柱は該共鳴体内部より該貫通孔に挿通されて該ハンドル中に挿着され、該位置決めリブはそれが対応する該ノッチに嵌入し、これにより該接続部材と該ハンドル間が回転不能とされたことを特徴とする、ハンドベル。
【請求項６】
請求項１又は２記載のハンドベルにおいて、該共鳴体は金属材料で形成されたことを特徴とする、ハンドベル。
【請求項７】
請求項３記載のハンドベルにおいて、該ストッパ部と該パッキングの設置位置は相互に交換可能であることを特徴とする、ハンドベル。
【請求項８】
請求項３記載のハンドベルにおいて、該パッキングは軟質材料で形成されたことを特徴とする、ハンドベル。
【請求項９】
請求項２記載のハンドベルにおいて、該クラッパーは一端に軸棒を具え、もう一端にクラッパーを具え、該軸棒と該クラッパー間が連接棒で連接され、該軸棒はねじりバネが嵌合されてから該接続部材に軸接され、該ねじりバネの一端は該接続部材に当接し、もう一端はクラッパーに当接することを特徴とする、ハンドベル。
【請求項１０】
請求項７記載のハンドベルにおいて、該クラッパーは一側に偏っていることを特徴とする、ハンドベル。
【請求項１１】
請求項９記載のハンドベルにおいて、該軸棒に該軸棒に垂直に突出部が形成されたことを特徴とする、ハンドベル。
【考案の詳細な説明】
【技術分野】
【０００１】
本考案は一種のハンドベルに係り、特に、一回揺れる毎に、ただ一つの音響のみを発生するハンドベルに関する。
【背景技術】
【０００２】
図１は周知のハンドベル４０を示し、該ハンドベル４０はアイスクリーム等を売るのに使用されたり、授業の開始と終了の合図とされたり、或いは音階の学習に使用されたり或いは楽器として使用される。それは、ハンドル４１の一端に鐘形の金属共鳴体４２が接続され、共鳴体４２の内側上面にバネ４３が設けられ、該バネ４３の別端に更にクラッパー４４が結合され、手でハンドル４１を握持して揺らす時、クラッパー４４が左右に揺動して共鳴体４２にぶつかり、音階を有する音響を発生する。該ハンドベル４０が音階学習に、或いは楽器として使用される時、少なくとも８本のハンドベル４０が必要で、各ハンドベル４０が異なる音階を発生する。
【考案の開示】
【考案が解決しようとする課題】
【０００３】
上述の周知のハンドベル４０は毎回揺らされる時、クラッパー４４を一度だけ共鳴体４２に衝突させるように制御して一つの音響だけを発生させるように制御することはできず、連続して数個の音響を発生してしまう。このため音階学習に使用する時は、児童ははっきりと音階を認識することができない。また、楽器として使用する時も、一度に一つの音響のみ発生するよう制御することが難しいため、演奏される楽曲に欠陥が生じる。ゆえに周知のハンドベル４０は改良の必要がある。
【０００４】
ゆえに、本考案の主要な目的は、一度揺らす毎に一つの音響のみを発生し、児童に明確に音階を認識させられ、楽器として使用する時に、楽曲演奏に確実に合わせることができる、ハンドベルを提供することにある。
【課題を解決するための手段】
【０００５】
本考案のハンドベルはハンドルを具え、該ハンドルの一端に中空の共鳴体が組付けられ、該共鳴体中に接続部材が設けられ、該接続部材にクラッパーが軸接され、該接続部材と該クラッパーの間にストッパ構造が設けられて、それにより該クラッパーが一方向のみに共鳴体に衝突して反対方向には共鳴体に衝突しないものとされ、該接続部材と該クラッパーの間にねじりバネが設けられて、該クラッパーが弾性往復揺動可能とされる。
【考案の効果】
【０００６】
ゆえに、本考案のハンドベルは、一度揺らす毎に一つの音響のみを発生し、児童に明確に音階を認識させられ、楽器として使用する時に、楽曲演奏に確実に合わせることができる。
【考案を実施するための最良の形態】
【０００７】
図２から図４に示されるように、本実施例のハンドベル２０はハンドル２１、共鳴体２２、接続部材２３、クラッパー２４を包含する。
【０００８】
該ハンドル２１は中空の長円管体とされ、その一端に平面である押さえ部２１１が設けられ、該押さえ部２１１は人々の親指が当てられるほか、ハンドベル２０使用時の方向性の識別に用いられる。
【０００９】
該共鳴体２２は鐘形とされ、その上端に貫通孔２２１が設けられ、該貫通孔２２１に複数の凹んだ凹口２２２が設けられ、該共鳴体２２は一般には金属材料で形成される。
【００１０】
該接続部材２３の上端に略円柱形の凸柱２３１が設けられ、該凸柱２３１の外周面に切欠き部２３８が設けられ、該凸柱２３１は該ハンドル２１中に挿着され、該切欠き部２３８はハンドル２１の押さえ部２１１と整合させられ、該切欠き部２３８と押さえ部２１１の設置により、組付け時の方向にエラーが発生しないものとされる。該凸柱２３１の外周面の、該共鳴体２２の貫通孔２２１の凹口２２２に対応する部分に、突出する位置決めリブ２３２が設けられ、該位置決めリブ２３２はその対応する凹口２２２に嵌め込まれ、接続部材２３とハンドル２１間は回転不能とされる（図６）。該接続部材２３の底端面に逆Ｕ形部材２３３が設けられ、該逆Ｕ形部材２３３の両側に相互に対応する穿孔２３５が設けられ、逆Ｕ形部材２３３にノッチ２３４が設けられ、接続部材２３の逆Ｕ形部材２３３の隣に環状凹溝２３６が設けられ、該環状凹溝２３６に軟質パッキング２３７が緊迫設置され、パッキング２３７は接続部材２３の底面より突出する。
【００１１】
該クラッパー２４の一端は軸棒２４２を具え、別端はウエイト２４１を具え、軸棒２４２とウエイト２４１間は連接棒２４４で連接され、軸棒２４２の隣にストッパ部２４３が設けられ、ストッパ部２４３は接続部材２３底面のパッキング２３７に対向し、該軸棒２４２の両端は接続部材２３の逆Ｕ形部材２３３の両側の穿孔２３５の間に挿入され、該軸棒には予めねじりバネ２５が嵌合され、該ねじりバネ２５の軸方向上の一端は接続部材２３に当接し、もう一端はクラッパー２４に当接する。
【００１２】
図４、５、６を参照されたい。本実施例のハンドベル２０を使用する時、該ハンドル２１の押さえ部２１１は上向きとされ、使用者が手でハンドル２１を握持する時、親指は押さえ部２１１に当てられ、一つの音響を発生させる時、ハンドベル２０を一度揺らす。クラッパー２４のウエイト２４１は一辺に偏り重量を有するため、該クラッパー２４はその軸棒２４２を軸点として下向きに揺動し、該クラッパー２４のストッパ部２４３はパッキング２３７からある距離離れる。該ウエイト２４１が共鳴体２２の内壁面に衝突する時、音階を有する音響を発生し、該ねじりバネ２５の弾性回復力により、該クラッパー２４はもとの位置に回復し、該クラッパー２４のストッパ部２４３は再びパッキング２３７上に当接し、クラッパー２４はそれ以上別方向に共鳴体２２の内側壁に衝突できない。このパッキング２３７は軟質の材料で製造され、クラッパー２４がもとの位置に回復する時、騒音及び過大な振動を発生することはなく、該ストッパ部２４３とパッキング２３７の設置位置は相互に交換可能である。上述の構造設計により、ハンドベル２０が一度揺らされる毎に、一つの音階の音響のみを発生し、使用者の操作に便利であるのみならず、児童に音階を明確に認識させ、また、楽器として使用する時、楽曲の演奏中の適宜タイミングに、正確な回数の正確な音響を発生することができる。
【００１３】
図８、９及び図１０に示されるのは、本考案の別の実施例であり、それは軸棒２４２部分に直角に交錯する突出部２４５が形成され、ハンドベル２０を揺らす時、該クラッパー２４がその軸棒２４２を軸点として下向きに揺動し、該クラッパー２４が共鳴体２２の内壁に衝突すると同時に、該突出部２４５も揺動し逆Ｕ形部材２３３の底部に当たり、クラッパー２４と突出部２４５が連動関係にあることから、該突出部２４５が逆Ｕ形部材２３３の底部に当たる時、クラッパー２４に瞬間振動の力を提供し、クラッパー２４が共鳴体２２内壁面に衝突して発生する音を更に明らかに響かせて濁音を混じらせない。
【図面の簡単な説明】
【００１４】
【図１】周知のハンドベルの断面動作図である。
【図２】本考案の立体分解図である。
【図３】本考案の別方向の立体分解図である。
【図４】本考案の組立立体図である。
【図５】本考案の断面動作表示図である。
【図６】本考案の断面動作表示図である。
【図７】本考案の俯瞰断面図である。
【図８】本考案の別の実施例の立体分解図である。
【図９】本考案の別の実施例の断面動作表示図である。
【図１０】本考案の別の実施例の断面動作表示図である。
【符号の説明】
【００１５】
２０  ハンドベル          ２１  ハンドル            ２１１  押さえ部
２２  共鳴体              ２２１  貫通孔            ２２２  凹口
２３  接続部材            ２３１  凸柱              ２３２  位置決めリブ
２３３  逆Ｕ形部材        ２３４  ノッチ            ２３５  穿孔
２３６  環状凹溝          ２３７  パッキング        ２３８  切欠き部
２４  クラッパー          ２４１  ウエイト          ２４２  軸棒
２４３  ストッパ部        ２４４  連接棒            ２４５  突出部
２５  バネ                ４０  ハンドベル          ４１  ハンドル
４２  共鳴体              ４３  バネ                ４４  クラッパー
【図１】
0003140164.tif 000003
【図２】
0003140164.tif 000004
【図３】
0003140164.tif 000005
【図４】
0003140164.tif 000006
【図５】
0003140164.tif 000007
【図６】
0003140164.tif 000008
【図７】
0003140164.tif 000009
【図８】
0003140164.tif 000010
【図９】
0003140164.tif 000011
【図１０】
0003140164.tif 000012